(57)【特許請求の範囲】
【請求項１】
装着時において、少なくとも右肩部から背中、左腰部、左臀部、及び左大腿部を通って左膝部に至るように設けられる伸張性を有する第１ベルトと、
装着時において、少なくとも左肩部から背中、右腰部、右臀部、及び右大腿部を通って右膝部に至るように設けられる伸張性を有する第２ベルトと、
を備え、
前記第１及び第２ベルトは背中で互いに交差するように設けられており、
前記第１ベルトは、前記左腰部と前記左大腿部との間で２本に分岐され、前記左大腿部の外側部と内側部とをそれぞれ通って左膝下前部に至るように設けられており、
前記第２ベルトは、前記右腰部と前記右大腿部との間で２本に分岐され、前記右大腿部の外側部と内側部とをそれぞれ通って右膝下前部に至るように設けられている、ことを特徴とする腰部負担軽減具。
【請求項２】
前記左腰部と前記左大腿部との間で２本に分岐された前記第１ベルトは、前記左膝下前部で互いに交差されると共に左下腿部後部で連結されるように設けられており、
前記右腰部と前記右大腿部との間で２本に分岐された前記第２ベルトは、前記右膝下前部で互いに交差されると共に右下腿部後部で連結されるように設けられている、
ことを特徴とする請求項１に記載の腰部負担軽減具。
【請求項３】
前記第１ベルトは、前記左腰部と前記左大腿部との間でさらに２本に分岐され、前記左大腿部及び前記左下腿部の外側部と内側部とをそれぞれ通って左足裏部で連結されるように設けられており、
前記第２ベルトは、前記右腰部と前記右大腿部との間でさらに２本に分岐され、前記右大腿部及び前記右下腿部の外側部と内側部とをそれぞれ通って右足裏部で連結されるように設けられている、ことを特徴とする請求項１又は２に記載の腰部負担軽減具。
【請求項４】
装着時において、少なくとも右肩部から背中、左腰部、左臀部、及び左大腿部を通って左膝部に至るように設けられる伸張性を有する第１ベルトと、
装着時において、少なくとも左肩部から背中、右腰部、右臀部、及び右大腿部を通って右膝部に至るように設けられる伸張性を有する第２ベルトと、
を備え、
前記第１及び第２ベルトは背中で互いに交差するように設けられており、
前記第１ベルトは、前記左腰部と前記左大腿部との間で２本に分岐され、前記左大腿部及び前記左下腿部の外側部と内側部とをそれぞれ通って左足裏部で連結されるように設けられており、
前記第２ベルトは、前記右腰部と前記右大腿部との間で２本に分岐され、前記右大腿部及び前記右下腿部の外側部と内側部とをそれぞれ通って右足裏部で連結されるように設けられている、ことを特徴とする腰部負担軽減具。
【請求項５】
前記第１ベルトは、前記左下腿部の外側部と内側部とをそれぞれ通って前記左足裏部で連結される部分が非伸張性素材から形成されており、
前記第２ベルトは、前記右下腿部の外側部と内側部とをそれぞれ通って前記右足裏部で連結される部分が非伸張性素材から形成されている、
ことを特徴とする請求項４に記載の腰部負担軽減具。
【請求項６】
前記第１ベルトは、少なくとも前記右肩部から前記背中を通って前記左腰部に至るように設けられる第１上部ベルトと、少なくとも前記左腰部から前記左臀部、及び前記左大腿部を通って前記左膝部に至るように設けられる第１下部ベルトと、を有し、該第１上部ベルトと該第１下部ベルトとは前記左腰部付近において着脱可能に設けられており、
前記第２ベルトは、少なくとも前記左肩部から前記背中を通って前記右腰部に至るように設けられる第２上部ベルトと、少なくとも前記右腰部から前記右臀部、及び前記右大腿部を通って前記右膝部に至るように設けられる第２下部ベルトと、を有し、該第２上部ベルトと該第２下部ベルトとは前記右腰部付近において着脱可能に設けられている、
ことを特徴とする請求項１又は４に記載の腰部負担軽減具。
【請求項７】
前記第１ベルトは、更に前記右肩部から右胸、及び右脇を通って前記右腰部に至るように設けられており、
前記第２ベルトは、更に前記左肩部から左胸、及び左脇を通って前記左腰部に至るように設けられている、
ことを特徴とする請求項１又は４に記載の腰部負担軽減具。
【請求項８】
前記第１及び第２ベルトは、体幹の前屈角度が２０度以上で伸張して張力を生じるように長さ調節されていることを特徴とする請求項１又は４に記載の腰部負担軽減具。
【請求項９】
前記第１及び第２ベルトは、長さ調節機構を有することを特徴とする請求項１又は４に記載の腰部負担軽減具。
【請求項１０】
前記第１及び第２ベルトは、ジャケット及びパンツを含む衣類に取り付けられていることを特徴とする請求項１又は４に記載の腰部負担軽減具。
【請求項１１】
上半身を覆うジャケット及び下半身を覆うパンツを含む衣類と、
前記衣類に取り付けられた伸張性を有する第１及び第２ベルトと、を備え、
前記第１ベルトは、前記ジャケットの右肩部から左腰部を通り、前記パンツの左臀部、及び左大腿部を通って左膝部に至るように設けられており、
前記第２ベルトは、前記ジャケットの左肩部から右腰部を通り、前記パンツの右臀部、及び右大腿部を通って右膝部に至るように設けられており、
前記第１及び第２ベルトは前記ジャケットの背中で互いに交差するように設けられており、
前記第１ベルトは、前記左腰部と前記左大腿部との間で２本に分岐され、前記左大腿部の外側部と内側部とをそれぞれ通って前記パンツの左膝下前部に至るように設けられており、
前記第２ベルトは、前記右腰部と前記右大腿部との間で２本に分岐され、前記右大腿部の外側部と内側部とをそれぞれ通って前記パンツの右膝下前部に至るように設けられている、ことを特徴とする腰部負担軽減具。
【請求項１２】
前記第１ベルトは、前記左腰部と前記左大腿部との間でさらに２本に分岐され、前記左大腿部及び前記左下腿部の外側部と内側部とをそれぞれ通って左足裏部で連結されるように設けられており、
前記第２ベルトは、前記右腰部と前記右大腿部との間でさらに２本に分岐され、前記右大腿部及び前記右下腿部の外側部と内側部とをそれぞれ通って右足裏部で連結されるように設けられている、ことを特徴とする請求項１１に記載の腰部負担軽減具。
【請求項１３】
上半身を覆うジャケット及び下半身を覆うパンツを含む衣類と、
前記衣類に取り付けられた伸張性を有する第１及び第２ベルトと、を備え、
前記第１ベルトは、前記ジャケットの右肩部から左腰部を通り、前記パンツの左臀部、及び左大腿部を通って左膝部に至るように設けられており、
前記第２ベルトは、前記ジャケットの左肩部から右腰部を通り、前記パンツの右臀部、及び右大腿部を通って右膝部に至るように設けられており、
前記第１及び第２ベルトは前記ジャケットの背中で互いに交差するように設けられており、
前記第１ベルトは、前記左腰部と前記左大腿部との間で２本に分岐され、前記左大腿部及び前記左下腿部の外側部と内側部とをそれぞれ通って左足裏部で連結されるように設けられており、
前記第２ベルトは、前記右腰部と前記右大腿部との間で２本に分岐され、前記右大腿部及び前記右下腿部の外側部と内側部とをそれぞれ通って右足裏部で連結されるように設けられている、ことを特徴とする腰部負担軽減具。
【発明の詳細な説明】
【０００１】
【発明の属する技術分野】
本発明は、主に介護等の分野において利用される腰部負担軽減具であって、身体に装着することにより、その変形張力で前傾介護姿勢の維持に必要な筋負担の軽減を図るための腰部負担軽減具に関する。
【０００２】
【従来の技術】
移乗介助や体位変換などの介護動作は、体幹を深く前屈した姿勢（約４０度以上）で行われることが多く、またその姿勢の持続時間が長いこともあって、腰部に作用する筋負担が大きく、介護者に腰痛等の障害が引き起こされ易いという問題がある。
【０００３】
このような事情から、従来より機械式の介護リフトの利用が薦められているが、介護リフトは大型で使い勝手が悪く、かつ高価であるため、あまり普及していないのが現状である。
【０００４】
そこで、介護者の腰部にかかる負担をより簡便に軽減すべく、介護者に装着させて腰部を補強するコルセットなどの補強具が種々提案されている。
【０００５】
【発明が解決しようとする課題】
しかしながら、上記した従来のコルセットなどの補強具では、介護者の動作が拘束されて動作の柔軟性や俊敏性が阻害されるため、作業性が低下してしまうという問題があった。また、従来のコルセットなどの補強具では、常時固定力を作用させているため、長期間の装着では使用者の本来の支持力を低下させてしまうという問題があった。
【０００６】
そこで本発明は、作業性と本来の支持性を低下させることなく、腰部に作用する筋負担を十分に軽減することが可能な腰部負担軽減具を提供することを目的とする。
【０００７】
【課題を解決するための手段】
発明者は、上記目的を達成するため実際の介護動作を計測した結果、介護動作において特徴的な体幹を前屈させる姿勢をとったときには、背部や臀部、大腿部の表面距離が大きく変化することに着目した。すなわち、図１５（ａ）に示すように、直立している状態で、肩から足裏までの距離をｌ0とし、肩から膝までの距離をｍ0とする。そして、膝を伸ばした状態で体幹を前屈させたとき、図１５（ｂ）に示すように、肩から足裏までの距離はｌ0+Δｌと大きく変化する。また、膝を曲げた状態で体幹を前屈させたとき、図１５（ｃ）に示すように、肩から膝までの距離はｍ0+Δｍと大きく変化する。このとき、伸び量ΔｌとΔｍはほとんど同一である。そして、伸び率は、前屈角度にほぼ比例し、１０度当たり約１．５〜２．０％程度伸展することが実験により確かめられている。
【０００８】
よって、この表面距離が大きく変化するラインに沿って伸張性を有するベルトを配し、このベルトが伸張することによって生じる張力を利用して腰背部の筋張力を補うことで、腰部への筋負担を十分に軽減することができることを見出し、本発明を完成するに至った。
【０００９】
すなわち本発明に係る腰部負担軽減具は、（１）装着時において、少なくとも右肩部から背中、左腰部、左臀部、及び左大腿部を通って左膝部に至るように設けられる伸張性を有する第１ベルトと、（２）装着時において、少なくとも左肩部から背中、右腰部、右臀部、及び右大腿部を通って右膝部に至るように設けられる伸張性を有する第２ベルトと、を備え、第１及び第２ベルトは背中で互いに交差するように設けられていることを特徴とする。ここで、「左膝部」とは、左大腿部と左下腿部との関節部の前面のみならず、後面及び側面をも含めた広い部分を指す。また「右膝部」とは、右大腿部と右下腿部との関節部の前面のみならず、後面及び側面をも含めた広い部分を指す。
【００１０】
この腰部負担軽減具では、伸張性を有する第１ベルトは、体幹の前屈時に表面距離が大きく変化する少なくとも右肩部から背中、左腰部、左臀部、及び左大腿部を通って左膝部に至るラインに沿うように設けられている。また、伸張性を有する第２ベルトは、体幹の前屈時に表面距離が大きく変化する少なくとも左肩部から背中、右腰部、右臀部、及び右大腿部を通って右膝部に至るラインに沿うように設けられている。よって、体幹の前屈時にこれら表面距離が大きく変化したとき、第１及び第２ベルトが伸張することによってこれらベルトに張力が生じ、この張力を利用して腰背部の筋張力を補うことで、腰部への筋負担を十分に軽減することができる。また、このように２本のベルトを利用することで、発揮された張力を各ベルトに分散させることが可能となると共に、張力による左右両肩部への圧迫の偏りを抑制することができる。また、第１ベルトは右肩部から左膝部に至るように、また第２ベルトは左肩部から右膝部に至るように、第１及び第２ベルトが背中で互いに交差するように設けられているため、体幹の前屈の他に回旋や側屈などの動作が複合された場合であっても、側屈や回旋動作を阻害することなく、一方のベルトが作用しなくなるおそれを低減することができる。更に、コルセット等のように体を締め付けることがないため、作業性の低下を招くおそれがなく、また常時固定力を作用させるものではないため、使用者本来の支持力を低下させるおそれもない。
【００１１】
なお、この第１及び第２ベルトの各々は、一連長のベルトであっても、複数のベルトをつなぎ合わせたベルトであってもよい。一連長のベルトの場合は、特に固定具などを利用して腰部付近で第１及び第２ベルトを固定する必要がなく、腰部が締め付けられるおそれがない。また分割型のベルトの場合は、各ベルトが同一のばね定数を有していれば、伸張時と非伸張時とで連結部の変位がほとんどなく、不快感を与えるおそれがほとんどない。
【００１２】
上記した腰部負担軽減具では、第１ベルトは、左腰部と左大腿部との間で２本に分岐され、左大腿部の外側部と内側部とをそれぞれ通って左膝下前部に至るように設けられており、第２ベルトは、右腰部と右大腿部との間で２本に分岐され、右大腿部の外側部と内側部とをそれぞれ通って右膝下前部に至るように設けられている、ことを特徴とする。これにより、膝を曲げた状態で体幹を前屈させた時に、第１及び第２ベルトを左右両膝下前部に引っ掛けて十分に伸張させることが可能となる。
【００１３】
また上記した腰部負担軽減具では、左腰部と左大腿部との間で２本に分岐された第１ベルトは、左膝下前部で互いに交差されると共に左下腿部後部で連結されるように設けられており、右腰部と右大腿部との間で２本に分岐された第２ベルトは、右膝下前部で互いに交差されると共に右下腿部後部で連結されるように設けられている、ことを特徴としてもよい。
【００１４】
上記した腰部負担軽減具では、第１ベルトは、左腰部と左大腿部との間で２本に分岐され、左大腿部及び左下腿部の外側部と内側部とをそれぞれ通って左足裏部で連結されるように設けられており、第２ベルトは、右腰部と右大腿部との間で２本に分岐され、右大腿部及び右下腿部の外側部と内側部とをそれぞれ通って右足裏部で連結されるように設けられている、ことを特徴とする。これにより、膝を伸ばした状態で体幹を前屈させた時に、第１及び第２ベルトを左右両足裏部に引っ掛けて十分に伸張させることが可能となる。
【００１５】
また上記した腰部負担軽減具では、第１ベルトは、左下腿部の外側部と内側部とをそれぞれ通って左足裏部で連結される部分が非伸張性素材から形成されており、第２ベルトは、右下腿部の外側部と内側部とをそれぞれ通って右足裏部で連結される部分が非伸張性素材から形成されている、ことを特徴としてもよい。このようにすれば、左右両足裏部でベルト幅を細くすることができ、足裏での違和感を低減することができる。また、第１及び第２ベルトとして、左右両肩部から右左両足裏部に至るベルト（ベルト１という）だけでなく、左右両肩部から右左両膝下前部に至るベルト（ベルト２という）を共用したとき、この部分を非伸張性素材から形成することで、膝を伸ばした状態で体幹を前屈させたときにベルト１により得られる張力と、膝を曲げた状態で体幹を前屈させたときにベルト２により得られる張力とを、実質的に同じにすることができる。
【００１６】
また上記した腰部負担軽減具では、第１ベルトは、少なくとも右肩部から背中を通って左腰部に至るように設けられる第１上部ベルトと、少なくとも左腰部から左臀部、及び左大腿部を通って左膝部に至るように設けられる第１下部ベルトと、を有し、第１上部ベルトと第１下部ベルトとは左腰部付近において着脱可能に設けられており、第２ベルトは、少なくとも左肩部から背中を通って右腰部に至るように設けられる第２上部ベルトと、少なくとも右腰部から右臀部、及び右大腿部を通って右膝部に至るように設けられる第２下部ベルトと、を有し、第２上部ベルトと第２下部ベルトとは右腰部付近において着脱可能に設けられている、ことを特徴としてもよい。このようにすれば、腰部負担軽減具の装着及び装脱を容易に行うことが可能となる。
【００１７】
また上記した腰部負担軽減具では、第１ベルトは、更に右肩部から右胸、及び右脇を通って右腰部に至るように設けられており、第２ベルトは、更に左肩部から左胸、及び左脇を通って左腰部に至るように設けられている、ことを特徴としてもよい。このようにすれば、体幹を前屈させたとき、第１及び第２ベルトを左右両腕付け根部の周りに引っ掛けて十分に伸張させることができる。
【００１８】
また上記した腰部負担軽減具では、第１及び第２ベルトは、体幹の前屈角度が２０度以上で伸張して張力を生じるように長さ調節されていることを特徴としてもよい。日常動作において体幹を前屈させるとき、その角度は２０度未満であることが多いのに対し、介護動作では２０度以上、特に３０度以上の深い前屈姿勢をとることが頻繁に行われる。よって、第１及び第２ベルトが、体幹の前屈角度が２０度以上で伸張して張力を生じるように長さ調節されていることで、日常動作時には第１及び第２ベルトがほとんど作用することがない。その結果、長期間装着する場合であっても、コルセット等のように筋力低下を招くおそれをなくすことができる。
【００１９】
また上記した腰部負担軽減具では、第１及び第２ベルトは、長さ調節機構を有することを特徴としてもよい。このようにすれば、体格の異なる人にも装着させることが可能となる。
【００２０】
また上記した腰部負担軽減具では、第１及び第２ベルトは、ジャケット及びパンツを含む衣類に取り付けられていることを特徴としてもよい。このように、第１及び第２ベルトがジャケット及びパンツを含む衣類に取り付けられていることで、衣類を着用する感覚で腰部負担軽減具を容易に装着することが可能となる。なお、ジャケット及びパンツは一体として設けられていてもよく、別体として設けられていてもよい。また、第１及び第２ベルトは、衣類の内側及び外側のいずれに取り付けられていてもよい。また、ベルト部分とその他の部分とを異なる素材を用いて製織するなどして、第１及び第２ベルトが衣類の一部を構成していてもよい。このように第１及び第２ベルトが衣類の一部を構成する場合も、「衣類に取り付けられている」に含まれるものとする。
【００２１】
本発明に係る腰部負担軽減具は、（１）上半身を覆うジャケット及び下半身を覆うパンツを含む衣類と、（２）衣類に取り付けられた伸張性を有する第１及び第２ベルトと、を備え、第１及び第２ベルトはジャケットの背中で互いに交差するように設けられており、第１ベルトは、ジャケットの右肩部から左腰部を通り、パンツの左臀部、及び左大腿部を通って左膝部に至るように設けられており、第２ベルトは、ジャケットの左肩部から右腰部を通り、パンツの右臀部、及び右大腿部を通って右膝部に至るように設けられている、ことを特徴とする。そして、第１ベルトは、左腰部と左大腿部との間で２本に分岐され、左大腿部の外側部と内側部とをそれぞれ通ってパンツの左膝下前部に至るように設けられており、第２ベルトは、右腰部と右大腿部との間で２本に分岐され、右大腿部の外側部と内側部とをそれぞれ通ってパンツの右膝下前部に至るように設けられている、ことを特徴とする。或いは、第１ベルトは、左腰部と左大腿部との間で２本に分岐され、左大腿部及び左下腿部の外側部と内側部とをそれぞれ通って左足裏部で連結されるように設けられており、第２ベルトは、右腰部と右大腿部との間で２本に分岐され、右大腿部及び右下腿部の外側部と内側部とをそれぞれ通って右足裏部で連結されるように設けられている、ことを特徴とする。
【００２２】
【発明の実施の形態】
以下、添付図面を参照しながら本発明の実施形態について説明する。なお、図面の説明において同一の要素には同一の符号を付し、重複する説明を省略する。
【００２３】
（第１実施形態）
図１は、第１実施形態に係る腰部負担軽減具としての腰部負担軽減衣服の構成を示す図である。なお、図１（ａ）、（ｂ）、（ｃ）それぞれは、腰部負担軽減衣服を装着したときの介護者の正面図、左側面図、背面図である。
【００２４】
図１に示すように、腰部負担軽減衣服１０は、ジャケット部１２とパンツ部１４とを備えている。ジャケット部１２は、ジャケット１６と、このジャケット１６の外側に取り付けられた第１上部ベルト１８及び第２上部ベルト２０を有している。
【００２５】
ジャケット１６は、体幹を覆う形態を有していれば、長袖、半そで、ノースリーブ等、腕部分の形態は特に限定されない。このジャケット１６を構成する素材も特に限定されず、例えば織物、編物等から構成することができる。
【００２６】
第１上部ベルト１８は、介護者がジャケット部１２を装着した状態で、右肩部から背中を通って左腰部に至るように設けられている。この第１上部ベルト１８の左腰部に至る端部は、左腰部にてジャケット１６に対して縫着されている。そして、縫着部分には、後述する第１下部ベルト２８と着脱可能に連結するための連結部２２が設けられている。また第１上部ベルト１８は、右肩部から右胸及び右脇を通って右腰部に至るように設けられている。この第１上部ベルト１８の右腰部に至る端部は、右腰部にてジャケット１６に対して縫着されている。なお、第１上部ベルト１８は、少なくとも右肩部においてジャケット１６に縫着されていると好ましい。このようにすれば、ジャケット部１２を装着するときに、装着し易くなる。
【００２７】
第１上部ベルト１８の右肩部から背中を通って左腰部に至る部分１８ｃ及び右腰部から右脇を通って右胸に至る部分１８ｄは、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００２８】
また、第１上部ベルト１８の右肩部から右胸に至る部分１８ｅは、非伸張性の材料、例えば車のシートベルトやかばんのショルダーベルトで使用されている帯状布や非伸縮性素材を帯状に加工したもの等から幅広に構成されている。このように、この部分１８ｅを非伸張性の材料で幅広に構成することで、第１上部ベルト１８が伸張したときに右胸に働く力が分散され、右胸が局所的に圧迫されることが抑制される。なお、ジャケット１６が非伸縮性の材料から構成されているときは、この部分１８ｅはジャケット１６自体に代用させてもよい。
【００２９】
また第２上部ベルト２０は、介護者がジャケット部１２を装着した状態で、左肩部から背中を通って右腰部に至るように設けられている。この第２上部ベルト２０の右腰部に至る端部は、右腰部にてジャケット１６に対して縫着されている。そして、縫着部分には後述する第２下部ベルト３０と着脱可能に連結するための連結部２４が設けられている。また第２上部ベルト２０は、左肩部から左胸及び左脇を通って左腰部に至るように設けられている。この第２ベルト２０の左腰部に至る端部は、左腰部にてジャケット１６に対して縫着されている。なお、第２上部ベルト２０は、少なくとも左肩部においてジャケット１６に縫着されていると好ましい。このようにすれば、ジャケット部１２を装着するときに、装着し易くなる。
【００３０】
第２上部ベルト２０の左肩部から背中を通って右腰部に至る部分２０ｃ及び左腰部から左脇を通って左胸に至る部分２０ｄは、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００３１】
また、第２上部ベルト２０の左肩部から左胸に至る部分２０ｅは、非伸張性の材料、例えば車のシートベルトやかばんのショルダーベルトで使用されている帯状布や非伸縮性素材を帯状に加工したもの等から幅広に構成されている。このように、この部分２０ｅを非伸張性の材料で幅広に構成することで、第２上部ベルト２０が伸張したときに左胸に働く力が分散され、左胸が局所的に圧迫されることが抑制される。なお、ジャケット１６が非伸張性の材料から構成されているときは、この部分２０ｅはジャケット１６自体に代用させてもよい。
【００３２】
これら第１上部ベルト１８及び第２上部ベルト２０は、背中で互いに交差するが、互いの伸張性を阻害しないように、交差部分は縫着されていない。
【００３３】
パンツ部１４は、パンツ２６と、このパンツ２６の外側に取り付けられた第１下部ベルト２８及び第２下部ベルト３０を有している。
【００３４】
パンツ２６は、くるぶし付近まで覆う長裾のパンツである。このパンツ２６を構成する素材は特に限定されず、例えば織物、編物等から構成することができる。
【００３５】
第１下部ベルト２８は、第１膝ベルト８６と第１足裏ベルト８８とを含んでおり、第２下部ベルト３０は、第２膝ベルト９０と第２足裏ベルト９２とを含んでいる。
【００３６】
第１膝ベルト８６は、介護者がパンツ部１４を装着した状態で、左腰部から左臀部、及び左大腿部を通って左膝下前部に至るように設けられている。この第１膝ベルト８６の左腰部に至る端部は、パンツ２６に対して縫着されている。この第１膝ベルト８６の左臀部に沿う部分は、左臀部を覆うように幅広に形成されており、座ったときの違和感の低減が図られている。そして、第１膝ベルト８６の左臀部を覆う部分に、上記した第１上部ベルト１８と着脱可能に連結するための連結部３４が設けられている。この第１膝ベルト８６は、左腰部と左大腿部との間で２本に分岐され、左大腿部の外側部と内側部とをそれぞれ通って左膝下前部に至るように設けられている。そして、左膝下前部で互いに交差すると共に左下腿部後部で連結されている。この第１膝ベルト８６は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００３７】
第１足裏ベルト８８は、介護者がパンツ部１４を装着した状態で、左腰部から左臀部、左大腿部、及び左下腿部を通って左足裏部に至るように設けられている。この第１足裏ベルト８８の左腰部に至る端部は、パンツ２６に対して縫着されている。この第１足裏ベルト８８の左臀部に沿う部分は、左臀部を覆うように幅広に形成されており、座ったときの違和感の低減が図られている。そして、第１足裏ベルト８８の左臀部を覆う部分に、上記した第１上部ベルト１８と着脱可能に連結するための連結部３４が設けられている。この第１足裏ベルト８８は、左臀部に沿う部分が左臀部を覆うように幅広に形成されており、座ったときの違和感の低減が図られている。この第１足裏ベルト８８は、左腰部と左大腿部との間で２本に分岐され、左大腿部及び左下腿部の外側部と内側部とをそれぞれ通って左足裏部で連結されている。この第１足裏ベルト８８は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００３８】
なお、第１膝ベルト８６と第１足裏ベルト８８とは、図１に示すように、左腰部から左大腿部中央付近まで共通に構成されていてもよい。また、第１足裏ベルト８８の左下腿部から左足裏部に至る部分は、非伸張性の材料から構成されていると好ましい。このようにすれば、左足裏部でベルト幅を細くすることができ、足裏での違和感を低減することができる。また、左下腿部には体幹の前屈に伴う表面変形がほとんどないため、図１に示すように第１膝ベルト８６と第１足裏ベルト８８とを共用したとき、この部分を非伸張性素材から形成することで、ベルトが膝に固定される場合でも足裏に固定される場合でも同等の弾性材料自然長とすることができる。その結果、膝を伸ばした状態で体幹を前屈させたときに第１膝ベルト８６により得られる張力と、膝を曲げた状態で体幹を前屈させたときに第１足裏ベルト８８により得られる張力とを、実質的に同じにすることができる。
【００３９】
第２膝ベルト９０は、介護者がパンツ部１４を装着した状態で、右腰部から右臀部、及び右大腿部を通って右膝下前部に至るように設けられている。この第２膝ベルト９０の右腰部に至る端部は、パンツ２６に対して縫着されている。この第２膝ベルト９０の右臀部に沿う部分は、右臀部を覆うように幅広に形成されており、座ったときの違和感の低減が図られている。そして、第２膝ベルト９０の右臀部を覆う部分に、上記した第２上部ベルト２０と着脱可能に連結するための連結部３６が設けられている。この第２膝ベルト９０は、右腰部と右大腿部との間で２本に分岐され、右大腿部の外側部と内側部とをそれぞれ通って右膝下前部に至るように設けられている。そして、右膝下前部で互いに交差すると共に右下腿部後部で連結されている。この第２膝ベルト９０は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００４０】
第２足裏ベルト９２は、介護者がパンツ部１４を装着した状態で、右腰部から右臀部、右大腿部、及び右下腿部を通って右足裏部に至るように設けられている。この第２足裏ベルト９２の右腰部に至る端部は、パンツ２６に対して縫着されている。この第２足裏ベルト９２は、右臀部に沿う部分が右臀部を覆うように幅広に形成されており、座ったときの違和感の低減が図られている。そして、第２足裏ベルト９２の右臀部を覆う部分に、上記した第２上部ベルト２０と着脱可能に連結するための連結部３６が設けられている。この第２足裏ベルト９２は、右腰部と右大腿部との間で２本に分岐され、右大腿部及び右下腿部の外側部と内側部とをそれぞれ通って右足裏部で連結されている。この第２足裏ベルト９２は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００４１】
なお、第２膝ベルト９０と第２足裏ベルト９２とは、図１に示すように、右腰部から右大腿部中央付近まで共通に構成されていてもよい。また、第２足裏ベルト９２の右下腿部から右足裏部に至る部分は、非伸張性の材料から構成されていると好ましい。このようにすれば、右足裏部でベルト幅を細くすることができ、足裏での違和感を低減することができる。また、右下腿部には体幹の前屈に伴う表面変形がほとんどないため、第２膝ベルト９０と第２足裏ベルト９２とを共用したとき、ベルトが膝に固定される場合でも足裏に固定される場合でも同等の弾性材料自然長とすることができる。その結果、この部分を非伸張性素材から形成することで、膝を伸ばした状態で体幹を前屈させたときに第２膝ベルト９０により得られる張力と、膝を曲げた状態で体幹を前屈させたときに第２足裏ベルト９２により得られる張力とを、実質的に同じにすることができる。
【００４２】
以上のようにして腰部負担軽減衣服１０が構成されている。次に、この腰部負担軽減衣服１０の装着について説明する。
【００４３】
例えば、まずジャケット部１２とパンツ部１４とが分離された状態で、通常のパンツを履くのと同じ感覚でパンツ部１４を履く。次に、通常のジャケットを着るのと同じ感覚でジャケット部１２を着る。そして、第１上部ベルト１８と第１下部ベルト２８とを連結部２２，３４を介して連結する。また第２上部ベルト２０と第２下部ベルト３０とを連結部２４，３６を介して連結する。この連結部２２，２４，３４，３６としては、公知の連結機構を使用することができる。例えば図２（ａ）に示すような、オス部の剛性突起をメス部と連結させる機構、図２（ｂ）及び（ｃ）にそれぞれ示すような、メス部としての穴にオス部としてのピンを挿入して連結させる機構などいずれも使用することができる。
【００４４】
以上のように構成される腰部負担軽減衣服１０を装着したとき、第１上部ベルト１８及び第１膝ベルト８６を含む第１ベルト３８は、右腰部から右脇、右胸、右肩部、及び背中を通って左腰部に至る。更に、左腰部と左大腿部との間で２本に分岐され、左大腿部の内側部及び外側部をそれぞれ通って、左膝下前部に至る。そして、左膝下前部で交差されて左下腿部後部で連結される。また、第２上部ベルト２０及び第２膝ベルト９０を含む第２ベルト４０は、左腰部から左脇、左胸、左肩部、及び背中を通って右腰部に至る。更に、右腰部と右大腿部との間で２本に分岐され、右大腿部の内側部及び外側部をそれぞれ通って、右膝下前部に至る。そして、右膝下前部で交差されて右下腿部後部で連結される。
【００４５】
あるいは、第１上部ベルト１８及び第１足裏ベルト８８を含む第１ベルト３８は、右腰部から右脇、右胸、右肩部、及び背中を通って左腰部に至る。更に、左腰部と左大腿部との間で２本に分岐され、左大腿部及び左下腿部の内側部及び外側部をそれぞれ通って、左足裏部で連結される。また、第２上部ベルト２０及び第２足裏ベルト９２を含む第２ベルト４０は、右腰部から右脇、右胸、右肩部、及び背中を通って左腰部に至る。更に、左腰部と左大腿部との間で２本に分岐され、左大腿部及び左下腿部の内側部及び外側部をそれぞれ通って、左足裏部で連結される。
【００４６】
このように配設された第１及び第２ベルト３８，４０は、遊び部分が設けられることにより、体幹の前屈角度が２０度以上で伸張して張力を生じるように長さ調節されていると好ましい。ここで前屈角度は、介護者の第４／５腰椎点と第７頸椎とを結ぶ直線と、水平面の法線とがなす角度により規定される。日常動作において体幹を前屈させるとき、その角度は２０度未満であることが多いのに対し、介護動作では２０度以上、特に３０度以上の深い前屈姿勢をとることが頻繁に行われる。よって、第１及び第２ベルト３８，４０が、体幹の前屈角度が２０度以上で伸張して張力を生じるように長さ調節されていることで、日常動作時には第１及び第２ベルト３８，４０がほとんど作用することがない。その結果、長期間装着する場合であっても、コルセット等のように筋力低下を招くおそれをなくすことができる。
【００４７】
また、第１及び第２ベルト３８，４０は、長さ調節機構４２を有すると好ましい。図１に示す腰部負担軽減衣服１０では、右腰部から右胸に至る第１上部ベルト１８の途中、及び左腰部から左胸に至る第２上部ベルト２０の途中に長さ調節機構４２が設けられている。また、左腰部から左足裏部に至る第１足裏ベルトの途中、及び右腰部から右足裏部に至る第２足裏ベルト９２の途中に長さ調節機構４２が設けられている。長さ調節機構４２としては公知のものを使用することができ、例えば図３（ａ），（ｂ）にそれぞれ示すようなバックルを使用することができる。上述したように、第１及び第２ベルト３８，４０は、体幹の前屈角度が２０度以上で伸張して張力を生じるように長さ調節されていると好ましいが、このように長さ調節機構４２を有することで、第１及び第２ベルト３８，４０を所望の長さに設定することができる。これにより、体格の異なる人にも、最適な条件で腰部負担軽減衣服１０を装着させることが可能となる。なお、左腰部から左膝下前部に至る第１膝ベルト８６の途中、及び右腰部から右膝下前部に至る第２膝ベルト９０の途中にも長さ調節機構４２を設けてもよい。また、左腰部から左足裏部に至る第１足裏ベルト８８の途中、及び右腰部から右足裏部に至る第２足裏ベルト９２の途中にも長さ調節機構４２を設けてもよい。また、必要に応じてその他の部分に長さ調節機構４２を設けてもよい。また、上部ベルト１８，２０と下部ベルト２８，３０を連結する連結部２２，２４，３４，３６にバックルを設けて長さ調節機能を持たせてもよい。
【００４８】
次に、本実施形態に係る腰部負担軽減衣服１０の作用および効果について説明する。
【００４９】
この腰部負担軽減衣服１０では、伸張性を有する第１ベルト３８は、体幹の前屈時、特に膝を曲げた状態での体幹の前屈時に表面距離が大きく変化する少なくとも右肩部から背中、左腰部、左臀部、及び左大腿部を通って左膝下前部に至るラインに沿うように設けられている。また、伸張性を有する第２ベルト４０は、体幹の前屈時、特に膝を曲げた状態での体幹の前屈時に表面距離が大きく変化する少なくとも左肩部から背中、右腰部、右臀部、及び右大腿部を通って右膝下前部に至るラインに沿うように設けられている。よって、体幹の前屈時にこれら表面距離が大きく変化したとき、第１及び第２ベルト３８，４０が伸張することによってこれらベルトに張力が生じ、この張力を利用して腰背部の筋張力を補うことで、腰部への筋負担を十分に軽減することができる。
【００５０】
また、伸張性を有する第１ベルト３８は、左腰部から左膝下前部に至るように設けられているだけでなく、体幹の前屈時、特に膝を伸ばした状態での体幹の前屈時に表面距離が大きく変化する少なくとも右肩部から背中、左腰部、左臀部、左大腿部、及び左下腿部を通って左足裏部に至るラインに沿うようにも設けられている。また、伸張性を有する第２ベルト４０は、右腰部から右膝下前部に至るように設けられているだけでなく、体幹の前屈時、特に膝を伸ばした状態での体幹の前屈時に表面距離が大きく変化する少なくとも左肩部から背中、右腰部、右臀部、右大腿部、及び右下腿部を通って右足裏部に至るラインに沿うようにも設けられている。
【００５１】
よって、膝を曲げた状態及び膝を伸ばした状態のいずれの状態おいても、体幹の前屈時にこれら表面距離が大きく変化したとき、第１及び第２ベルト３８，４０が伸張することによってこれらベルトに張力が生じ、この張力を利用して腰背部の筋張力を補うことで、腰部への筋負担を十分に軽減することができる。一般に、体重が５０ｋｇ程度の人が体幹を３０度〜８０度に前屈した場合には、腰部への筋負担は６００Ｎ〜１１００Ｎ程度に達する。よって、例えば第１及び第２ベルト３８，４０の片方づつで４０Ｎ〜８０Ｎ程度の筋張力を補うことで、前屈維持に必要な筋張力の１０％〜２０％をサポートすることができる。
【００５２】
また、このように２本のベルト３８，４０を利用することで、発揮された張力を各ベルトに分散させることが可能となると共に、張力による左右両肩部への圧迫の偏りを抑制することができる。また、第１ベルト３８は右肩部から左膝下前部に至るように、また第２ベルト４０は左肩部から右膝下前部に至るように、第１及び第２ベルト３８，４０が背中で互いに交差するように設けられているため、体幹の前屈の他に回旋や側屈などの動作が複合された場合であっても、側屈や回旋動作を阻害することなく、一方のベルトが作用しなくなるおそれを低減することができる。
【００５３】
また、コルセット等のように体を締め付けることがないため、作業性の低下を招くおそれがなく、また常時固定力を作用させるものでないため、使用者本来の支持力を低下させるおそれもない。
【００５４】
また、膝を曲げた状態で体幹を前屈させた時に、第１及び第２ベルト３８，４０を左右両膝下前部に引っ掛けることができるため、第１及び第２ベルト３８，４０を十分に伸張させることができる。また、膝を伸ばした状態で体幹を前屈させた時に、第１及び第２ベルト３８，４０を左右両足裏部に引っ掛けることができるため、第１及び第２ベルト３８，４０を十分に伸張させることができる。
【００５５】
また、左腰部と左大腿部との間で２本に分岐された第１ベルト３８は、左膝下前部で互いに交差すると共に左下腿部後部で連結されるように設けられており、また右腰部と右大腿部との間で２本に分岐された第２ベルト４０は、右膝下前部で互いに交差すると共に右下腿部後部で連結されるように設けられているため、左右両膝を曲げて左右両下腿部周りの長さが大きくなったとき、左右両下腿部の周りを周るように設けられた第１及び第２ベルト３８，４０は、左右両下腿部に固定される。これにより、膝を曲げた状態で体幹を前屈させ、第１及び第２ベルト３８，４０を左右両膝下前部に引っ掛けて十分に伸張させたとき、張力により第１及び第２ベルト３８，４０が左右両膝下前部からずり上がるおそれを低減することが可能となる。
【００５６】
また、第１ベルト３８は、右肩部から右胸、及び右脇を通って右腰部に至るように設けられており、第２ベルト４０は、左肩部から左胸、及び左脇を通って左腰部に至るように設けられているため、体幹を前屈させたとき、第１及び第２ベルト３８，４０を左右両腕付け根部の周りに引っ掛けて十分に伸張させることができる。また、このように第１及び第２ベルト３８，４０を左右両腕付け根部の周りに引っ掛けることができるため、ジャケット部１２の肩の部分が背中の方までずり下がったりする不具合が発生するおそれを低減することができる。
【００５７】
また、腰部負担軽減衣服１０はジャケット部１２とパンツ部１４とに分割され、第１及び第２ベルト３８，４０は左右腰部付近で着脱可能に構成されているため、装着及び装脱を容易に行うことができ、特にトイレ等で用を足すに際して便利である。
【００５８】
また、第１及び第２ベルト３８，４０がジャケット１６及びパンツ２６に取り付けられていることで、衣類を着用する感覚で腰部負担軽減衣服１０を容易に装着することができる。
【００５９】
（第２実施形態）
以下、図４を参照しながら、本発明の第２実施形態について説明する。なお、上述した第１実施形態において説明した要素と同一の要素には同一の符号を付し、重複する説明を省略する。
【００６０】
図４は、第２実施形態に係る腰部負担軽減具としての腰部負担軽減衣服５０の構成を示す図である。なお、図４（ａ）、（ｂ）は、それぞれ腰部負担軽減衣服５０が備えるジャケット部１２及びパンツ部１４の構成を示す斜視図である。
【００６１】
図４に示すように、第２実施形態に係る腰部負担軽減衣服５０は、ジャケット１６の内側に第１上部ベルト１８及び第２上部ベルト２０が取り付けられており、またパンツ２６の内側に第１下部ベルト２０及び第２下部ベルト３０が取り付けられていること以外は、第１実施形態に係る腰部負担軽減衣服１０と実質的に同じ構成を有する。
【００６２】
この腰部負担軽減衣服５０では、ウレタン、不織布、フェルト等の材料から形成された当て布４４が、ジャケット１６の内側の腰部付近に縫着されている。そして、第１及び第２上部ベルト１８，２０は、この当て布４４内部を通るように構成されている。これにより、第１上部ベルト１８と第１下部ベルト２８との連結部２２，３４、及び第２上部ベルト２０と第２下部ベルト３０との連結部２４，３６が左右腰部に当たるときの不快感を低減することができる。
【００６３】
以上のように構成される第２実施形態に係る腰部負担軽減衣服５０においても、上記した第１実施形態に係る腰部負担軽減衣服１０と同様の作用効果を奏し得る。特に、第２実施形態に係る腰部負担軽減衣服５０では、第１及び第２ベルト３８，４０が外部から見えないため、見た目がシンプルで意匠性を阻害するおそれがなくなる。
【００６４】
（第３実施形態）
以下、図５を参照しながら、本発明の第３実施形態について説明する。なお、上述した第１実施形態において説明した要素と同一の要素には同一の符号を付し、重複する説明を省略する。
【００６５】
図５は、第３実施形態に係る腰部負担軽減具としてのサスペンダー式腰部負担軽減衣服６０の構成を示す図である。なお、図５（ａ）、（ｂ）、（ｃ）それぞれは、サスペンダー式腰部負担軽減衣服６０を装着したときの介護者の正面図、左側面図、背面図である。
【００６６】
図５に示すように、サスペンダー式腰部負担軽減衣服６０は、サスペンダー部６２とパンツ部１４とを備えている。パンツ部１４は、パンツ２６と、このパンツ２６の外側に取り付けられた第１下部ベルト２８及び第２下部ベルト３０を有している。このパンツ部１４は、上記第１実施形態において説明した腰部負担軽減衣服１０のパンツ部１４と同じ構成を有する。サスペンダー部６２は、第１上部ベルト６４及び第２上部ベルト６６を有している。
【００６７】
第１上部ベルト６４は、介護者がサスペンダー部６２を装着した状態で、右肩部から背中を通って左腰部に至るように設けられている。この第１上部ベルト６４の左腰部に至る端部は、連結部２２，３４を介してパンツ部１４の第１下部ベルト２８と着脱可能に連結されている。また第１上部ベルト６４は、右肩部から右胸及び右脇を通って右腰部に至るように設けられている。この第１上部ベルト６４の右腰部に至る端部は、連結部２４，３６を介してパンツ部１４の第２下部ベルト３０と着脱可能に連結されている。
【００６８】
第１上部ベルト６４の右肩部から背中を通って左腰部に至る部分６４ｃ及び右腰部から右脇を通って右胸に至る部分６４ｄは、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００６９】
また、第１上部ベルト６４の右肩部から右胸に至る部分６４ｅは、非伸張性の材料、例えば車のシートベルトやかばんのショルダーベルトで使用されている帯状布や非伸縮性素材を帯状に加工したもの等から幅広に構成されている。このように、この部分６４ｅを非伸張性の材料で幅広に構成することで、第１上部ベルト６４が伸張したときに右胸に働く力が分散され、右胸が局所的に圧迫されることが抑制される。
【００７０】
また第２上部ベルト６６は、介護者がサスペンダー部６２を装着した状態で、左肩部から背中を通って右腰部に至るように設けられている。この第２上部ベルト６６の右腰部に至る端部は、連結部２４，３６を介してパンツ部１４の第２下部ベルト３０と着脱可能に連結されている。また第２上部ベルト６６は、左肩部から左胸及び左脇を通って左腰部に至るように設けられている。この第２上部ベルト６６の左腰部に至る端部は、連結部２２，３４を介してパンツ部１４の第１下部ベルト２８と着脱可能に連結されている。
【００７１】
第２上部ベルト６６の左肩部から背中を通って右腰部に至る部分６６ｃ及び左腰部から左脇を通って左胸に至る部分６６ｄは、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００７２】
また、第２上部ベルト６６の左肩部から左胸に至る部分６６ｅは、非伸張性の材料、例えば車のシートベルトやかばんのショルダーベルトで使用されている帯状布や非伸張性素材を帯状に加工したもの等から幅広に構成されている。このように、この部分６６ｅを非伸張性の材料で幅広に構成することで、第２上部ベルト６６が伸張したときに左胸に働く力が分散され、左胸が局所的に圧迫されることが抑制される。
【００７３】
このサスペンダー部６２では、装着時に第１上部ベルト６４及び第２上部ベルト６６が左右両脇に引っ張られることを防止するため、図５に示すように、特に左右両胸に亘って設けられており、第１上部ベルト６４と第２上部ベルト６６とを引き寄せるための長さ調節可能なベルト７０が設けられている。
【００７４】
かかるサスペンダー式腰部負担軽減衣服６０を装着した状態で、第１上部ベルト６４及び第１膝ベルト８６を含む第１ベルト３８は、右腰部から右脇、右胸、右肩部、及び背中を通って左腰部に至る。更に、左腰部と左大腿部との間で２本に分岐され、左大腿部の内側部及び外側部をそれぞれ通って、左膝下前部に至る。そして、左膝下前部で交差されて左下腿部後部で連結される。一方、第２上部ベルト６６及び第２膝ベルト９０を含む第２ベルト４０は、左腰部から左脇、左胸、左肩部、及び背中を通って右腰部に至る。更に、右腰部と右大腿部との間で２本に分岐され、右大腿部の内側部及び外側部をそれぞれ通って、右膝下前部に至る。そして、右膝下前部で交差されて右下腿部後部で連結される。
【００７５】
また、第１上部ベルト６４及び第１足裏ベルト８８を含む第１ベルト３８は、右腰部から右脇、右胸、右肩部、及び背中を通って左腰部に至る。更に、左腰部と左大腿部との間で２本に分岐され、左大腿部及び左下腿部の内側部及び外側部をそれぞれ通って、左足裏部で連結される。一方、第２上部ベルト６６及び第２足裏ベルト９２を含む第２ベルト４０は、左腰部から左脇、左胸、左肩部、及び背中を通って右腰部に至る。更に、右腰部と右大腿部との間で２本に分岐され、右大腿部及び右下腿部の内側部及び外側部をそれぞれ通って、右足裏部で連結される。
【００７６】
このように配設された第１及び第２ベルト３８，４０は、遊び部分を設けることにより、体幹の前屈角度が２０度以上で伸張して張力を生じるように長さ調節されていると好ましい。
【００７７】
また、第１及び第２ベルト３８，４０は、長さ調節機構４２を有すると好ましい。図５に示すサスペンダー式腰部負担軽減衣服６０では、右腰部から右胸に至る第１上部ベルト６４の途中、及び左腰部から左胸に至る第２上部ベルト６６の途中に長さ調節機構４２が設けられている。なお、左腰部から左膝下前部に至る第１下部ベルト２８の途中、及び右腰部から右膝下前部に至る第２下部ベルト３０の途中にも長さ調節機構４２を設けてもよい。また、左腰部から左足裏部に至る第１足裏ベルト８８の途中、及び右腰部から右足裏部に至る第２足裏ベルト９２の途中にも長さ調節機構４２を設けてもよい。また、必要に応じてその他の部分に長さ調節機構４２を設けてもよい。また、上部ベルト６４，６６と下部ベルト２８，３０を連結する連結部２２，２４，３４，３６にバックルを設けて長さ調節機能を持たせてもよい。
【００７８】
以上のように構成されるサスペンダー式腰部負担軽減衣服６０においても、上記した第１実施形態に係る腰部負担軽減衣服１０と同様の作用効果を奏し得る。特に、第３実施形態に係るサスペンダー式腰部負担軽減衣服６０では、サスペンダー部６２を肌着の上から、あるいは素肌の上に直接装着することができるため、高温環境下で有利である。なお、第１上部ベルト６４及び第２上部ベルト６６が外部から見えるのを嫌う場合は、サスペンダー部６２を装着した上からジャンバー等を着用すればよい。
【００７９】
（第４実施形態）
以下、図６を参照しながら、本発明の第４実施形態について説明する。なお、上述した第１実施形態において説明した要素と同一の要素には同一の符号を付し、重複する説明を省略する。
【００８０】
図６は、第４実施形態に係る腰部負担軽減具としての腰部負担軽減ベルト８０の構成を示す図である。なお、図６（ａ）、（ｂ）、（ｃ）それぞれは、腰部負担軽減ベルト８０を装着したときの介護者の正面図、左側面図、背面図である。
【００８１】
図６に示すように、腰部負担軽減ベルト８０は、サスペンダー部６２とボトム部８２と腰部ベルト部８４とを備えている。サスペンダー部６２は、上記第３実施形態において説明したサスペンダー式腰部負担軽減衣服６０のサスペンダー部６２と同じ構成を有する。
【００８２】
ボトム部８２は、第１下部ベルト２８と第２下部ベルト３０とを有している。この第１下部ベルト２８は、第１膝ベルト８６と第１足裏ベルト８８とを含んでおり、第２下部ベルト３０は、第２膝ベルト９０と第２足裏ベルト９２とを含んでいる。
【００８３】
第１膝ベルト８６は、介護者がボトム部８２を装着した状態で、左腰部から左臀部、及び左大腿部を通って左膝下前部に至るように設けられている。この第１膝ベルト８６の左腰部に至る端部は、連結部３４を介して腰部ベルト部８４に連結されている。この第１膝ベルト８６は、左腰部と左大腿部との間で２本に分岐され、左大腿部の外側部と内側部とをそれぞれ通って左膝下前部に至るように設けられている。そして、左膝下前部で互いに交差すると共に左下腿部後部で連結されている。この第１膝ベルト８６は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００８４】
第１足裏ベルト８８は、介護者がボトム部８２を装着した状態で、左腰部から左臀部、左大腿部、及び左下腿部を通って左足裏部に至るように設けられている。この第１足裏ベルト８８の左腰部に至る端部は、連結部３４を介して腰部ベルト部８４に連結されている。この第１足裏ベルト８８は、左腰部と左大腿部との間で２本に分岐され、左大腿部及び左下腿部の外側部と内側部とをそれぞれ通って左足裏部で連結されている。この第１足裏ベルト８８は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００８５】
なお、第１膝ベルト８６と第１足裏ベルト８８とは、左腰部から左大腿部中央付近まで共通に構成されていてもよい。また、第１足裏ベルト８８の左下腿部から左足裏部に至る部分は、非伸張性の材料、例えば車のシートベルトやかばんのショルダーベルトで使用されている帯状布や非伸縮性素材を帯状に加工したもの等から構成されていてもよい。このようにすれば、左足裏部でベルト幅を細くすることができ、足裏での違和感を低減することができる。また、左下腿部には体幹の前屈に伴う表面変形がほとんどないため、第１膝ベルトと第１足裏ベルトとを共用したとき、ベルトが膝に固定される場合でも足裏に固定される場合でも同等の弾性材料自然長とすることができる。その結果、この部分を非伸張性素材から形成することで、膝を伸ばした状態で体幹を前屈させたときに第１膝ベルトにより得られる張力と、膝を曲げた状態で体幹を前屈させたときに第１足裏ベルトにより得られる張力とを、実質的に同じにすることができる。
【００８６】
第２膝ベルト９０は、介護者がボトム部８２を装着した状態で、右腰部から右臀部、及び右大腿部を通って右膝下前部に至るように設けられている。この第２膝ベルト９０の右腰部に至る端部は、連結部３６を介して腰部ベルト部８４に連結されている。この第２膝ベルト９０は、右腰部と右大腿部との間で２本に分岐され、右大腿部の外側部と内側部とをそれぞれ通って右膝下前部に至るように設けられている。そして、右膝下前部で互いに交差すると共に右下腿部後部で連結されている。この第２膝ベルト９０は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００８７】
第２足裏ベルト９２は、介護者がボトム部８２を装着した状態で、右腰部から右臀部、右大腿部、及び右下腿部を通って右足裏部に至るように設けられている。この第２足裏ベルト９２の右腰部に至る端部は、連結部３６を介して腰部ベルト部８４に連結されている。この第２足裏ベルト９２は、右腰部と右大腿部との間で２本に分岐され、右大腿部及び右下腿部の外側部と内側部とをそれぞれ通って右足裏部で連結されている。この第２足裏ベルト９２は、伸張性を有する材料、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等から構成されている。
【００８８】
なお、第２膝ベルト９０と第２足裏ベルト９２とは、右腰部から右大腿部中央付近まで共通に構成されていてもよい。また、第２足裏ベルト９２の右下腿部から右足裏部に至る部分は、非伸張性の材料、例えば車のシートベルトやかばんのショルダーベルトで使用されている帯状布や非伸縮性素材を帯状に加工したもの等から構成されていてもよい。このようにすれば、右足裏部でベルト幅を細くすることができ、足裏での違和感を低減することができる。また、右下腿部には体幹の前屈に伴う表面変形がほとんどないため、第２膝ベルトと第２足裏ベルトとを共用したとき、ベルトが膝に固定される場合でも足裏に固定される場合でも同等の弾性材料自然長とすることができる。その結果、この部分を非伸張性素材から形成することで、膝を伸ばした状態で体幹を前屈させたときに第２膝ベルトにより得られる張力と、膝を曲げた状態で体幹を前屈させたときに第２足裏ベルトにより得られる張力とを、実質的に同じにすることができる。
【００８９】
腰部ベルト部８４は、腰周りに締結される。この腰部ベルト部８４は、非伸張性の素材から構成されている。この腰部ベルト部８４の左腰部には、サスペンダー部６２の第１上部ベルト６４とボトム部８２の第１下部ベルト２８とを連結するための連結部３４が設けられている。また腰部ベルト部８４の右腰部には、サスペンダー部６２の第２上部ベルト６６とボトム部８２の第２下部ベルト３０とを連結するための連結部３６が設けられている。なお、連結部２２，２４，３４，３６の連結機構としては、例えば図２に示すような連結機構を用いることができる。
【００９０】
以上のように構成される腰部負担軽減ベルト８０を装着した状態で、第１上部ベルト６４及び第１膝ベルト８６を含む第１ベルト３８は、右腰部から右脇、右胸、右肩部、及び背中を通って左腰部に至る。更に、左腰部と左大腿部との間で２本に分岐され、左大腿部の内側部及び外側部をそれぞれ通って、左膝下前部に至る。そして、左膝下前部で交差されて左下腿部後部で連結される。また、第２上部ベルト６６及び第２膝ベルト９０を含む第２ベルト４０は、左腰部から左脇、左胸、左肩部、及び背中を通って右腰部に至る。更に、右腰部と右大腿部との間で２本に分岐され、右大腿部の内側部及び外側部をそれぞれ通って、右膝下前部に至る。そして、右膝下前部で交差されて右下腿部後部で連結される。
【００９１】
あるいは、第１上部ベルト６４及び第１足裏ベルト８８を含む第１ベルト３８は、右腰部から右脇、右胸、右肩部、及び背中を通って左腰部に至る。更に、左腰部と左大腿部との間で２本に分岐され、左大腿部及び左下腿部の内側部及び外側部をそれぞれ通って、左足裏部で連結される。また、第２上部ベルト６６及び第２足裏ベルト９２を含む第２ベルト４０は、右腰部から右脇、右胸、右肩部、及び背中を通って左腰部に至る。更に、左腰部と左大腿部との間で２本に分岐され、左大腿部及び左下腿部の内側部及び外側部をそれぞれ通って、左足裏部で連結される。
【００９２】
このように配設された第１及び第２ベルト３８，４０は、遊び部分を設けることにより、体幹の前屈角度が２０度以上で伸張して張力を生じるように長さ調節されていると好ましい。
【００９３】
また、第１及び第２ベルト３８，４０は、図３に示すような長さ調節機構４２を有すると好ましい。例えば、右腰部から右胸に至る第１上部ベルト６４の途中、及び左腰部から左胸に至る第２上部ベルト６６の途中に長さ調節機構４２を設けると好ましい。また、左腰部から左膝下前部に至る第１膝ベルト８６の途中、及び右腰部から右膝下前部に至る第２膝ベルト９０の途中にも長さ調節機構４２を設けてもよい。また、左腰部から左足裏部に至る第１足裏ベルト８８の途中、及び右腰部から右足裏部に至る第２足裏ベルト９２の途中にも長さ調節機構４２を設けてもよい。さらに、上部ベルト６４，６６と下部ベルト２８，３０を連結する連結部２２，２４，３４，３６にバックルを設けて長さ調節機能を持たせてもよい。
【００９４】
以上のように構成される腰部負担軽減ベルト８０においても、上記した第１実施形態に係る腰部負担軽減衣服１０と同様の作用効果を奏し得る。特に、第４実施形態に係る腰部負担軽減ベルト８０は、衣服の上から直接装着することができるため、着替えなどの面倒な作業を省くことができる。なお、本実施形態に係る腰部負担軽減ベルト８０は、肌着の上から、あるいは素肌の上に直接装着してもよい。また、腰部負担軽減ベルト８０が外部から見えるのを嫌う場合は、この腰部負担軽減ベルト８０を装着した上からジャンバーやズボン等を着用すればよい。
【００９５】
なお、本実施形態に係る腰部負担軽減ベルト８０では、図７に示すように、左右両膝下前部に膝パッド９４を設けると好ましい。この膝パッド９４は、例えばウレタン、不織布、フェルト等の素材を用いて構成することができる。なお、膝パッド９４を設けるときは、ベルト８６，９０を案内するためのガイド部材が膝パッド９４に設けられていると好ましい。図７に示す例では、ベルト８６，９０を案内するためのガイド布９６が膝パッド９４に縫着されている。特に、図８（ａ），（ｂ）に示すようなサポータータイプのリング状の膝パッド９４を設ければ、膝に作用する締め付け力を緩和することができるだけでなく、ベルト８６，９０が膝からずり上がることを防止することができるため好ましい。なお、このようなリング状の膝パッド９４を設けるとき、膝前面を覆う部分をパッドで構成し、膝裏を覆う部分はストレッチ素材で構成すると好ましい。このようにすれば、膝を曲げ易くなる。
【００９６】
また、膝パッド９４を設けるときは、図８（ｃ）に示すように、分岐された膝ベルト８６，９０は膝下前部で連結されていてもよい。またこの場合、膝ベルト８６，９０がずり上がることを防止するために、図８（ｄ）に示すように、膝パッド９４をくるぶしまで伸ばし、引っ掛け部３２を介して足裏に引っ掛けるようにしてもよい。
【００９７】
上記のように第４実施形態に係る腰部負担軽減ベルト８０を構成したが、腰部負担軽減ベルト８０は、図９に示すように、変形して用いることも可能である。この変形例では、ボトム部８２の構成が上記したボトム部と相違している。
【００９８】
この変形例では、第１下部ベルト２８は、介護者がボトム部８２を装着した状態で、左腰部から左臀部、及び左大腿部を通って左膝下前部に至るように設けられている。この第１下部ベルト２８の左腰部に至る端部は、連結部３４を介して腰部ベルト部８４に連結されている。この第１下部ベルト２８は、左腰部と左大腿部との間で２本に分岐され、左大腿部の外側部と内側部とをそれぞれ通って左膝下前部に至るように設けられている。そして、左膝下前部で互いに交差した後、左下腿部の外側部と内側部とをそれぞれ通って左足裏部で連結されている。この第１下部ベルト２８の左腰部から左大腿部及び左膝下前部までは、伸張性を有する材料から構成し、左下腿部から左足裏部までは、非伸張性の材料から構成すると好ましい。伸張性を有する材料としては、例えばスパンデックス等の伸縮性素材を複数枚重ね合わせたものや、伸縮性素材に低伸度の素材を重ね合わせたもの、伸縮性素材に合成樹脂等のコーティング加工を施し帯状に裁断加工されたもの等が挙げられる。非伸張性を有する材料としては、例えば車のシートベルトやかばんのショルダーベルトで使用されている帯状布や非伸縮性素材を帯状に加工したもの等が挙げられる。このようにすれば、膝を伸ばした状態で体幹を前屈させた場合でも、膝を曲げた状態で体幹を前屈させた場合と同様に十分な張力を発揮することができる。なお、左下腿部の後部には、第１下部ベルト２８の位置ずれを防止するためのベルト９８が２箇所設けられている。
【００９９】
第２下部ベルト３０は、図９では図示されないが、第１下部ベルト２８と同様の構成を有する。すなわち、介護者がボトム部８２を装着した状態で、右腰部から右臀部、及び右大腿部を通って右膝下前部に至るように設けられている。この第２下部ベルト３０の右腰部に至る端部は、連結部３６を介して腰部ベルト部８４に連結されている。この第２下部ベルト３０は、右腰部と右大腿部との間で２本に分岐され、右大腿部の外側部と内側部とをそれぞれ通って右膝下前部に至るように設けられている。そして、右膝下前部で互いに交差した後、右下腿部の外側部と内側部とをそれぞれ通って右足裏部で連結されている。この第２下部ベルト３０の右腰部から右大腿部及び右膝下前部までは、伸張性を有する材料から構成し、右下腿部から右足裏部までは、非伸張性の材料から構成すると好ましい。このようにすれば、膝を伸ばした状態で体幹を前屈させた場合でも、膝を曲げた状態で体幹を前屈させた場合と同様に十分な張力を発揮することができる。なお、右下腿部の後部には、第２下部ベルト３０の位置ずれを防止するためのベルト９８が２箇所設けられている。
【０１００】
このように構成した場合、膝を曲げた状態及び膝を伸ばした状態のいずれにおいても、第１及び第２ベルト３８，４０が伸張することによってこれらベルトに張力が生じ、この張力を利用して腰背部の筋張力を補うことで、腰部への筋負担を十分に軽減することができる。
【０１０１】
（第５実施形態）
以下、図１０を参照しながら、本発明の第５実施形態について説明する。なお、上述した第１実施形態において説明した要素と同一の要素には同一の符号を付し、重複する説明を省略する。
【０１０２】
図１０は、第５実施形態に係る腰部負担軽減具としての腰部負担軽減衣服１００の構成を示す図である。なお、図１０（ａ）、（ｂ）、（ｃ）それぞれは、腰部負担軽減衣服１００を装着したときの介護者の正面図、左側面図、背面図である。
【０１０３】
図１０に示すように、本実施形態に係る腰部負担軽減衣服１００は、ボディースーツのようにワンピースで構成されており、第１及び第２ベルト３８，４０は、腰部負担軽減衣服１００の一部として一体的に形成されている。すなわち、本実施形態に係る腰部負担軽減衣服１００は、緊締力の強い素材を用いて形成された第１及び第２ベルト３８，４０の部分と、緊締力の弱い素材を用いて形成されたその他１０２の部分とを接ぎ合わせ、または編み立てるるなどして一体的に形成されている。
【０１０４】
腰部負担軽減衣服１００の第１及び第２ベルト３８，４０の部分は、緊締力の強い素材、例えば太いデニールのパワーネットや、デニール切り替え及び組織切り替えをした布地等から構成することができる。また、その他１０２の部分は、緊締力の弱い素材、例えばツーウェイトリコット、細いデニールのパワーネット等から構成することができる。なお、この腰部負担軽減衣服１００では、くるぶしの辺りから足裏に向かって延設され、足裏に引っ掛け可能な引っ掛け部３２が設けられている。これにより、腰部負担軽減衣服１００のずり上がりが防止されている。
【０１０５】
かかる構成の腰部負担軽減衣服１００を装着した状態で、第１ベルト３８は、右腰部から右脇、右胸、右肩部、及び背中を通って左腰部に至る。更に、左腰部と左大腿部との間で２本に分岐され、左大腿部の内側部及び外側部をそれぞれ通って、左膝下前部に至る。そして、左膝下前部で交差されて左下腿部後部に至る。一方、第２ベルト４０は、左腰部から左脇、左胸、左肩部、及び背中を通って右腰部に至る。更に、右腰部と右大腿部との間で２本に分岐され、右大腿部の内側部及び外側部をそれぞれ通って、右膝下前部に至る。そして、右膝下前部で交差されて右下腿部後部に至る。
【０１０６】
なお、腰部負担軽減衣服１００の一部として設けられた第１及び第２ベルト３８，４０が、体幹の前屈角度が２０度以上で伸張して張力を生じるように、腰部負担軽減衣服１００にいくつかのサイズ（例えばＭサイズ、Ｌサイズなど）を設けることが好ましい。
【０１０７】
以上のように構成される腰部負担軽減衣服１００においても、上記した第１実施形態に係る腰部負担軽減衣服１０と同様の作用効果を奏し得る。特に、第５実施形態に係る腰部負担軽減衣服１００では、第１及び第２ベルト３８，４０が腰部負担軽減衣服１００の一部として一体的に形成されているため、取り扱いが容易になり、洗濯などが極めて容易になる。また、保存に際してかさばるおそれがない。
【０１０８】
なお、本実施形態では腰部負担軽減衣服１００をワンピースで構成したが、上半身部と下半身部とを分けて構成してもよい。この場合、上半身部と下半身部とで分断された第１及び第２ベルト３８，４０を連結するために、分断部分に図２に示すような連結機構を設ける必要がある。
【０１０９】
なお、本発明は上記した実施形態に限定されることなく種々の変形が可能である。
【０１１０】
例えば、第５実施形態に係る腰部負担軽減衣服１００おいても、右肩部から左膝下前部に至る第１ベルト３８及び左肩部から右膝部に至る第２ベルト４０以外に、更に第１実施形態に係る腰部負担軽減衣服１０と同様に、右肩部から左足裏部に至るように第１ベルト３８を設け、また左肩部から右足裏部に至るように第２ベルト４０を設けてもよい。このようにすれば、右肩部から左膝下前部に至る第１ベルト３８及び左肩部から右膝部に至る第２ベルト４０と、右肩部から左足裏部に至る第１ベルト３８、及び左肩部から右足裏部に至る第２ベルト４０とにより、膝を曲げた状態及び膝を伸ばした状態のいずれにおいても、第１及び第２ベルト３８，４０が伸張することによってこれらベルトに張力が生じ、この張力を利用して腰背部の筋張力を補うことで、腰部への筋負担を十分に軽減することができる。
【０１１１】
また、第１及び第２実施形態に係るジャケット部１２及びパンツ部１４、第３実施形態に係るパンツ部１４において、図１１〜図１４に示すように、ベルト３８，４０が通る部分に適宜ガイド部材を設けてもよい。図１１（ａ）は、ベルト３８，４０を案内するガイド布１１２が下地１１４に縫着されている様子を示す斜視図であり、図１１（ｂ）は図１１（ａ）のＢ−Ｂ線断面図である。また図１２（ａ）は、ベルト３８，４０を案内するガイド帯１１６が下地１１４に縫着されている様子を示す斜視図であり、図１２（ｂ）は図１２（ａ）のＢ−Ｂ線断面図である。また図１３（ａ）は、ベルト３８，４０を案内する樹脂リング１１８が、下地１１４に縫着された布１２０を介して前後動可能に取り付けられている様子を示す斜視図であり、図１３（ｂ）は図１３（ａ）のＢ−Ｂ線断面図である。また図１４（ａ）は、ベルト３８，４０を案内する樹脂リング１１８が、下地１１４に縫着された布１２０を介して前後動可能に取り付けられている様子を示す斜視図であり、図１４（ｂ）は図１４（ａ）のＢ−Ｂ線断面図である。
【０１１２】
このようにすれば、ベルト３８，４０が所望の位置を確実に通ることになり、所望の効果を確実に得ることができる。かかるガイド部材は、ベルト３８，４０が通る部位の全体に、あるいは所々に設けると好ましい。
【０１１３】
上記した実施形態では、腰部保護具を介護分野に用いる場合について説明したが、使用される分野はこれに限定されることなく、運輸、物流分野等における物品の運搬作業などに幅広く適用できることは言うまでもない。
【０１１４】
【発明の効果】
本発明によれば、作業性と本来の支持性を低下させることなく、腰部に作用する筋負担を十分に軽減することが可能な腰部負担軽減具が提供される。これにより、この腰部負担軽減具を装着することで、腰痛等の障害が引き起こされるおそれを低減することが可能となる。
【図面の簡単な説明】
【図１】第１実施形態に係る腰部負担軽減具としての腰部負担軽減衣服の構成を示す図である。なお、図１（ａ）、（ｂ）、（ｃ）それぞれは、腰部負担軽減衣服を装着したときの介護者の正面図、左側面図、背面図である。
【図２】連結部として使用可能な連結機構を例示する斜視図である。
【図３】使用可能な長さ調節機構を例示する斜視図である。
【図４】第２実施形態に係る腰部負担軽減具としての腰部負担軽減衣服の構成を示す図である。なお、図４（ａ）、（ｂ）は、それぞれ腰部負担軽減衣服が備えるジャケット部及びパンツ部の構成を示す斜視図である。
【図５】第３実施形態に係る腰部負担軽減具としてのサスペンダー式腰部負担軽減衣服の構成を示す図である。なお、図５（ａ）、（ｂ）、（ｃ）それぞれは、サスペンダー式腰部負担軽減衣服を装着したときの介護者の正面図、左側面図、背面図である。
【図６】第４実施形態に係る腰部負担軽減具としての腰部負担軽減ベルトの構成を示す図である。なお、図６（ａ）、（ｂ）、（ｃ）それぞれは、腰部負担軽減ベルトを装着したときの介護者の正面図、左側面図、背面図である。
【図７】膝パッドの構成の一例を示す図である。
【図８】膝パッドの構成の一例を示す図である。
【図９】第４実施形態に係る腰部負担軽減具としての腰部負担軽減ベルトの変形例を示す図である。なお、図９は、腰部負担軽減ベルトを装着したときの介護者の左側面を示す。
【図１０】第５実施形態に係る腰部負担軽減具としての腰部負担軽減衣服の構成を示す図である。なお、図１０（ａ）、（ｂ）、（ｃ）それぞれは、腰部負担軽減衣服を装着したときの介護者の正面図、左側面図、背面図である。
【図１１】第１及び第２ベルトをジャケットやパンツに固定する方法の一例を示す斜視図である。
【図１２】第１及び第２ベルトをジャケットやパンツに固定する方法の一例を示す斜視図である。
【図１３】第１及び第２ベルトをジャケットやパンツに固定する方法の一例を示す斜視図である。
【図１４】第１及び第２ベルトをジャケットやパンツに固定する方法の一例を示す斜視図である。
【図１５】体幹を前屈させたときに肩から膝あるいは足裏に至る表面距離が変化する様子を示す図である。
【符号の説明】
１０，５０，１００…腰部負担軽減衣服、６０…サスペンダー式腰部負担軽減衣服、８０…腰部負担軽減ベルト、３８…第１ベルト、４０…第２ベルト、１８，６４…第１上部ベルト、２０，６６…第２上部ベルト、２８…第１下部ベルト、３０…第２下部ベルト、８６…第１膝ベルト、９０…第２膝ベルト、８８…第１足裏ベルト、９２…第２足裏ベルト、４２…長さ調節機構、２２，２４，３４，３６…連結部、１２…ジャケット部、１４…パンツ部、１６…ジャケット、２６…パンツ、６２…サスペンダー部、８２…ボトム部、８４…腰部ベルト部。
【図１】
0004000254.tif 000002
【図２】
0004000254.tif 000003
【図３】
0004000254.tif 000004
【図４】
0004000254.tif 000005
【図５】
0004000254.tif 000006
【図６】
0004000254.tif 000007
【図７】
0004000254.tif 000008
【図８】
0004000254.tif 000009
【図９】
0004000254.tif 000010
【図１０】
0004000254.tif 000011
【図１１】
0004000254.tif 000012
【図１２】
0004000254.tif 000013
【図１３】
0004000254.tif 000014
【図１４】
0004000254.tif 000015
【図１５】
0004000254.tif 000016